(57)【要約】      （修正有）【課題】操作性が良いととともに動物美容において安全性を高めた動物用美容ハサミを提供する。【解決手段】ハサミ１の支軸回りに開閉する一対の切り開閉部３ａ，３ｂの両方に動物の毛を捕まえる溝部６が形成されており、溝部は刃面の安全性を高める形状に構成してあり、一対の切り開閉部が一方向側に緩やかに湾曲している。一対の切り開閉部の双方の先端部域が、不連続点を含むエッジが立たないように滑らかに変化する形状に形成されているのが好ましい。【選択図】図２
0003198938.tif 000002
【実用新案登録請求の範囲】
【請求項１】
ハサミの支軸回りに開閉する一対の切り開閉部の両方に動物の毛を捕まえる溝部が形成されており、前記溝部は刃面の安全性を高める形状に構成してあり、前記一対の切り開閉部が一方向側に緩やかに湾曲していることを特徴とする動物用美容ハサミ。
【請求項２】
請求項１に記載の動物用美容ハサミにおいて、前記一対の切り開閉部の双方の先端部域が、不連続点を含むエッジが立たないように滑らかに変化する先端部形状に形成されている動物用美容ハサミ。
【請求項３】
請求項１〜請求項２のいずれか一つに記載の動物用美容ハサミにおいて、前記一対の切り開閉部の最先端部から前記支軸までの距離の中間位置における下側の切り開閉部の両端部が前記中間位置に当接する平面に対して共に距離ｅを有するようにハサミ幅方向の形状を構成しており、
前記中間位置におけるハサミ幅方向の長さｄとした時に、
前記距離ｅはｄ・０．２ｍｍ＜ｅ＜ｄ・０．５ｍｍの範囲となるように前記下側の切り開閉部の両端部の形状を設定した動物用美容ハサミ。
【請求項４】
請求項２〜請求項３のいずれか一つに記載の動物用美容ハサミにおいて、ハサミの前後方向と直交する平面視において、ハサミを閉じた状態において前記一対の切り開閉部のそれぞれがはみ出ることなく先細りの形状となるように構成した動物用美容ハサミ。
【請求項５】
請求項３〜請求項４のいずれか一つに記載の動物用美容ハサミにおいて、平面に対する前記一対の切り開閉部の最先端部位置における傾斜角度θが
５゜＜θ＜２０゜である動物用美容ハサミ。
【請求項６】
請求項３〜請求項５のいずれか一つに記載の動物用美容ハサミにおいて、ハサミの前後方向において、前記一対の切り開閉部の最先端部から前記支軸までの距離Ｌ１と前記最先端部から指先が入る指入部の中心までの距離Ｌ２の比Ｒが、
０．１＜Ｒ＜０．３である動物用美容ハサミ。
【請求項７】
請求項６に記載の動物用美容ハサミにおいて、前記一対の切り開閉部の前記最先端部から前記指入部の前記中心までの距離の長さＬ２が、
８０ｍｍ＜Ｌ２＜１８０ｍｍである動物用美容ハサミ。
【考案の詳細な説明】
【技術分野】
【０００１】
本考案は、例えば愛玩動物の体毛の処理や、耳穴内の毛を切る処理などに使用する動物用美容ハサミに関する。
【背景技術】
【０００２】
従来、人の理髪用ハサミとして各種のものが提案されていた（特許文献１）。
【先行技術文献】
【特許文献】
【０００３】
【特許文献１】特開平０５−１２３４５９
【考案の開示】
【考案が解決しようとする課題】
【０００４】
しかしながら、犬などの愛玩動物の美容は人の理髪用ハサミを用いた美容とは異なる点が多い。例えば、犬の耳穴内の毛を切る場合などに人の理髪用ハサミを用いて同じように作業すると、耳穴内面の皮膚を切ってしまうことがよく起こっていた。また、愛玩動物の皮膚面にハサミを直接当てて切り開閉部を動かす動作を行なうと毛のみならず、動物皮膚面を傷つけてしまうことがあり、動物美容を行なう上で作業者の負担が大きかった。
【０００５】
本考案は上記課題に鑑みてなされたものであり、本考案の目的は上記課題を解決できる動物用美容ハサミを提供することにある。
具体的な目的の一例を示すと、以下の通りである。
（ａ）動物美容のために「動物の毛」を切る場合に安全性を向上できる動物用美容ハサミを提供する。
（ｂ）人の整髪用ハサミを使用した場合に比べて「動物の毛」を切る場合に毛を掴みやすく、かつ「動物の毛」が逃げることを抑制できる動物用美容ハサミを提供する。
なお、上記に記載した以外の考案の課題、その解決手段及びその効果は、後述する明細書内の記載において詳しく説明する。
【課題を解決するための手段】
【０００６】
本考案は多面的に表現できるが、例えば、代表的なものを挙げると、次のように構成したものである。なお、下記各考案において、各符号は後述する実施形態との対応関係を分かりやすくするために一例として示したものであり、本考案の各構成要素は、実施形態に記載した符号に係る構成に限定されないことは言うまでもない。
【０００７】
本考案の動物用美容ハサミは、ハサミ１の支軸２回りに開閉する一対の切り開閉部３ａ，３ｂの両方に動物の毛を捕まえる溝部６が形成されており、前記溝部６は刃面１１・１１の安全性を高める形状に構成してあり、前記一対の切り開閉部３ａ，３ｂが一方向側に緩やかに湾曲していることを特徴とする（請求項１）。
なお、前記「動物の毛」には耳内毛、ウブ毛、体毛などの毛状物のみならず、動物から美容上好ましくない状態で突起する各種の突起物を含む。
【０００８】
この構成であれば、刃面の安全性を高めた溝部がハサミの一対の切り開閉部の両方に形成されているので、毛を掴みやすく、動物の毛が逃げることを抑制できるとともに通常のハサミに比べて安全性を高くできる。つまり、動物美容作業中に動物の表面を傷つける恐れを著しく低減できる。
さらに、一対の切り開閉部が一方向側に緩やかに湾曲していることで、直線形のハサミよりも本動物用美容ハサミの安全性をさらに高めることができる。特に、動物は美容のための毛切りを行なっている場合でも不意に動くことが多いので安全性を高めることは非常に重要である。
【０００９】
本考案は、前記一対の切り開閉部３ａ，３ｂの双方の先端部域Ｓが、不連続点Ｊを含むエッジが立たないように滑らかに変化する先端部形状に形成されていることを特徴とする（請求項２）。
前記「滑らかに変化する先端部形状」としては平面視において不連続点Ｊのない、円形、楕円、双曲線などの曲線が例示できる。
この構成であれば、先端部域にエッジが立った理髪用ハサミに比べて、先端部域のエッジで動物の皮膚等を傷つける恐れを大幅に低減することができ、安全性を高めることができる。
【００１０】
本考案は、前記一対の切り開閉部３ａ，３ｂの最先端部から前記支軸２までの距離Ｌ１の中間位置Ｍにおける下側の切り開閉部３ｂの両端部が前記中間位置Ｍに当接する平面１２に対して共に距離ｅを有するようにハサミ幅方向の形状を構成しており、前記中間位置におけるハサミ幅方向の長さｄ（ｍｍ）とした時に、
前記距離ｅはｄ・０．２ｍｍ＜ｅ＜ｄ・０．５ｍｍの範囲となるように前記下側の切り開閉部３ｂの両端部の形状を設定したことを特徴とする（請求項３）。
なお、「ｄ・」は「ｄ×（乗算）」の意味である。
なお、「下側の切り開閉部の両端部」とは一対の切り開閉部が一方向側に緩やかに湾曲している構成において、平面視において中間位置に当接する平面側にある切り開閉部の両端部という意味である。
この構成であれば、ハサミ幅方向の形状を上記距離ｅの範囲に設定することで、動物の皮膚面をハサミの幅方向に回動するようにハサミが移動した場合でも、溝部の設けられた刃面が動物皮膚面から逃げるように移動させることができ、安全性を高めることができる。
【００１１】
本考案は、ハサミ１の前後方向と直交する平面視において、ハサミ１を閉じた状態において前記一対の切り開閉部３ａ，３ｂのそれぞれがはみ出ることなく先細りの形状となるように構成したことを特徴とする（請求項４）。
従来の整髪用ハサミであれば、一方の開閉部を他方の開閉部よりも幅方向にずらしてあるが、本構成であれば、一方の開閉部が他方の開閉部に対して幅方向にずらしていないので、刃面がハサミから突出せず、安全性を高めることができる。
【００１２】
本考案は、平面１２に対する前記一対の切り開閉部３ａ，３ｂの最先端部位置における傾斜角度θが５゜(度)＜θ＜２０゜(度)であることを特徴とする（請求項５）。なお、傾斜角度θはが７゜(度)＜θ＜１２゜(度)であることがさらに好ましい。
この傾斜角度θを上記範囲に設定することで、動物の耳穴内の毛を切る場合などの細かい部分の毛切り作業にも安全性と操作性を良好に保つことができる。
【００１３】
本考案は、ハサミ１の前後方向において、前記一対の切り開閉部３ａ，３ｂの最先端部から前記支軸２までの距離Ｌ１と前記最先端部から指先が入る指入部５ａ，５ｂの中心Ｏまでの距離Ｌ２の比（Ｒ＝Ｌ１／Ｌ２）が、０．１＜Ｒ＜０．３であることを特徴とする（請求項６）。なお、比（Ｒ＝Ｌ１／Ｌ２）は０．１５＜Ｒ＜０．２４であることがさらに好ましい。
この構成であれば、動物用美容ハサミの開閉動作の操作バランスが良くなり、安全性を高めるとともに動物美容の作業性を向上できるハサミを提供できる。
本考案は、前記一対の切り開閉部３ａ，３ｂの前記最先端部から前記指入部５ａ，５ｂの前記中心Ｏまでの距離Ｌ２の長さが、８０ｍｍ＜Ｌ２＜１８０ｍｍであることを特徴とする（請求項７）。なお、距離Ｌ２の長さは、１００ｍｍ＜Ｌ２＜１４０ｍｍであることがさらに好ましい。
この長さ範囲であれば、動物用美容ハサミの操作性を向上させることができる。
【考案の効果】
【００１４】
以上説明したように、本考案であれば、動物美容のために「動物の毛」を切る場合に安全性を向上できる動物用美容ハサミを提供できた。また、人の整髪用ハサミを使用した場合に比べて「動物の毛」を切る場合に毛を掴みやすく、「動物の毛」が逃げることを抑制できる動物用美容ハサミを提供できた。
【図面の簡単な説明】
【００１５】
【図１】（Ａ）は本考案の実施形態に係る動物用美容ハサミの平面図、（Ｂ）は左側から見た側面図である。
【図２】（Ａ）は本実施形態に係る動物用美容ハサミの一対の切り開閉部を左側から見た拡大図、（Ｂ）は右側から見た拡大図である。
【図３】（Ａ）は本実施形態に係る動物用美容ハサミの一対の切り開閉部を開いた状態を示す拡大図、（Ｂ）は従来の通常のハサミの一対の切り開閉部を開いた状態を示す拡大図である。
【図４】（Ａ）は本実施形態に係る動物用美容ハサミの一対の切り開閉部を閉じた状態を示す拡大図、（Ｂ）は従来の通常のハサミの一対の切り開閉部を閉じた状態を示す拡大図である。
【図５】（Ａ）は本実施形態に係る動物用美容ハサミを閉じた状態で前方から見た場合に当接する動物肌面（中間位置で当接する平面）との関係を示す拡大図、（Ｂ）は従来の通常のハサミを閉じた状態で前方から見た場合に当接する動物肌面との関係を示す拡大図である。
【考案を実施するための形態】
【００１６】
以下、本考案の実施の形態を図面に基づき説明する。
［実施形態］
図１に示すように、本実施形態に係る動物用美容ハサミ１は、支軸２と、その支軸２より前側にあり、支軸２回りに所定角度範囲回動できる一対の切り開閉部３ａ，３ｂと、支軸２から後方側に延設された一対の支持部４ａ，４ｂと、それら一対の支持部４ａ，４ｂの後部に設けられた指先が入る一対の指入部５ａ，５ｂとを備えている。
【００１７】
図１〜図３に示すように、本動物用美容ハサミ１は、動物の毛を捕まえる溝部６が一対の切り開閉部３ａ，３の両方に形成されている。一対の切り開閉部３ａ，３は通常のハサミと同様に、支軸２回りに回動することによって一対の刃面１１，１１（図３（Ａ）参照）が交差することで対象物を切る構成となっている。
【００１８】
図３（Ａ）に示すように、本動物用美容ハサミ１は、図面紙面の奥側に示される切り開閉部３ｂの刃面１１に溝部６が形成されるとともに、手前側の切り開閉部３ａの刃面１１にも破線で示すように溝部６が形成されていることになる。また、溝部６の大きさは図面において認識できる程度に拡大して記載されており、現実の溝部６の大きさが図３（Ａ）に示される大きさではなく、適宜調整されることに注意されたい。
溝部６は動物の毛を切る場合に毛を掴みやすく、動物の毛が逃げることを抑制できる溝の形状などに構成される。また、指先で溝部６をこすっても指先が傷つかない程度に刃面の安全性を高めた形状になっている。このような安全性を高めた溝部６は公知のものである。
【００１９】
本実施形態の構成に比較して図３（Ｂ）に示す美容用の従来ハサミ２５の構成であれば、奥側の切り開閉部３０ｂのみに毛を捕まえる溝部６が形成されており、手前側の切り開閉部３０ａには溝部６は形成されていない。
図３（Ｂ）に示す従来一般の構成であると、手前側の切り開閉部３０ａに鋭利な刃面３１が残っているので、その鋭利な刃面３１によって動物皮膚面を傷つける可能性が高くなり、安全性が低くなる課題がある。これは、手前側の切り開閉部３０ａにのみ溝部６を形成し、奥側の切り開閉部３０ｂに溝部６を形成しない構成でも同様である。
【００２０】
また、片方だけ溝部６を有した構成では、一対の切り開閉部３０ａ，３０ｂによって多種多様な毛を確実に捉えることが難しくなる。これに対して、図３（Ａ）に示す本実施形態のハサミ１の構成であれば、一対の刃面１１，１１の両方に溝部６を形成しているので、一対の溝部６内に動物の多種多様な毛の毛を捉えて、切りやすくすることができる。
【００２１】
図２に示すように、本実施形態に係る動物用美容ハサミ１は、例えば平面１２に対して置いた状態を考えた場合に、下側に位置する切り開閉部３０ｂが平面１２から緩やかに立ち上がるように構成してある。
緩やかに平面１２から立ち上がるとは、図２（Ａ）に示すように曲率Ｒの滑らかな各種曲面（例えば、円、楕円、双曲面等）に沿うように平面１２から離れるように湾曲されているということである。一対の切り開閉部３ａ，３ｂの最先端部位置と平面１２とが為す傾斜角度θは前記した範囲に設定される。
【００２２】
図１（Ａ）に示すように、ハサミ１の前後方向において、一対の切り開閉部３ａ，３ｂの最先端部から支軸２までの距離Ｌ１と、一対の切り開閉部３ａ，３ｂの最先端部から指入部５ａ，５ｂの中心部Ｏまでの距離Ｌ２の比（Ｒ＝Ｌ１／Ｌ２）が、前記範囲内に入るように構成してある。距離Ｌ１がＬ２に対して大きくなりすぎると、指入部５ａ，５ｂの開閉動作に基づいて動作する一対の切り開閉部３ａ，３ｂの回動幅が大きくなりすぎ、耳穴のような小さな箇所の毛を切ることが難しくなる。
【００２３】
逆に距離Ｌ１がＬ２に対して小さくなりすぎると、指入部５ａ，５ｂの開閉動作によって切れる毛の量が少なくなり、作業効率が低下することになる。
このように、距離Ｌ２の比（Ｒ＝Ｌ１／Ｌ２）を前記範囲に設定することで、現実の犬や猫などの愛玩動物の体毛などに関する美容作業を効率的かつ良好に行なうことができる。
【００２４】
また、図３（Ａ）に示すように、本実施形態に係る動物用美容ハサミ１は、一対の切り開閉部３ａ，３ｂの先端部域Ｓにおいて、エッジが立たないように滑らかに変化する先端部形状に形成されている。
この構成の特徴は、従来一般のハサミの形状である図３（Ｂ）と対比すれば明らかなように、図３（Ｂ）に示された一対の切り開閉部３０ａ，３０ｂとの先端部域Ｓの刃面３１は滑らかな曲面となっておらず、切り立った不連続点Ｊを含むエッジを有する構成となっている。なお、図３では一対の切り開閉部３０ａ，３０ｂの両方に不連続点Ｊを含むエッジを有する構成が示してある。
【００２５】
この従来のハサミ２５の構成は紙などの被切断物を切る場合にエッジを利かして先端部域Ｓの被切断物の切れを良くするという思想の基に構成されている。
しかし、作業中でも動きがある動物の毛の美容作業においては、切断する能力が高いエッジを設けることその自体が、安全性を低下させることになるのである。このような不連続点Ｊを含むエッジを有する刃面をなくした工夫は本発明者が発見したものである。
【００２６】
図４（Ａ）に示すように、本実施形態に係る動物用美容ハサミ１は、ハサミ１の平面視において、閉じた状態において一対の切り開閉部３ａ，３ｂがそれぞれはみ出ることなく先細りの形状となるように一方の開閉部を他方の開閉部よりも幅方向に突出していない構成にしてある。これに対比されるのが、図４（Ｂ）に示された従来のハサミ２５の構成である。
【００２７】
図４（Ｂ）に示された従来ハサミ２５の一対の切り開閉部３０ａ，３０ｂでは、手前側の切り開閉部３０ａの傾斜する刃面３１から紙面奥側の切り開閉部３０ｂの外縁３０ｂ１がはみ出ており、平面視において互いに重なっていない構成になっている。この構成であれば、例えば、犬の耳穴などの見づらい箇所の毛を切る場合には、挿入後、切り開閉部３０ａ，３０ｂを開いた場合に切り開閉部３０ａ，３０ｂのいずれか片方側の刃面３１で動物皮膚面を傷つける可能性が高くなってしまうのである。
【００２８】
これに対して、図４（Ａ）に示す本実施形態に係る動物用美容ハサミ１では、一対の切り開閉部３ａ，３ｂは刃面１１，１１（図３（Ａ）参照）が突出しないように平面視において重なるように形成してあるので、開閉動作のときに動物皮膚面を傷つける可能性を低減できる。また、この安全性の向上は、図３（Ａ）に示すように両方の刃面１１に溝部６を形成していることでさらに高めることができるのである。
【００２９】
さらに、本実施形態に係る動物用美容ハサミ１は、図１（Ａ）に示すように、一対の切り開閉部３ａ，３ｂの最先端部から前記支軸２までの距離Ｌ１の中間位置Ｍにおいて、図５（Ａ）に示す下側の一対の切り開閉部３ｂのハサミ幅方向の長さｄの両端部が平面１２に対して大きな距離ｅを有していることを特徴とする。これは、大きな距離ｅを形成する方法としては、ハサミ幅方向の所定曲線の曲率Ｋを長さｄを対比して大きく設定する方法がある。なるべく、ハサミ幅方向の両端部がなだらかな曲面とすることが好ましい。
これに対して、図５（Ｂ）に示す紙切り用の従来ハサミ２５であれば、ハサミ幅方向の長さｄの両端部が平面１２に対して浮き上がるような距離ｅを有していることはなく、当接する平面１２に対して一対の切り開閉部３０ａ，３０ｂはそれぞれ平行に構成されている。
【００３０】
本実施形態に係る動物用美容ハサミ１は、一対の切り開閉部３ａ，３ｂを開閉動作しても、図５（Ａ）中の前後方向の中心線（図示せず）に対して回動するように方向の動き（矢印１５で示す）に対しても、刃面が動物皮膚面に対して直接的に当たる可能性を低減することができる。つまり、動物皮膚から離れる（逃げる）方向に下側の切り開閉部３ｂの曲率Ｋが大きく設定されているので、安全性を高めることができる。さらに、図３、図４に示された構成の少なくとも一方に示した構成と共に用いることで、動物皮膚面を傷つけることを大幅に抑制することができる。
【００３１】
本考案は上記実施形態以外にも本考案の要旨を変更しない範囲で種々の変形を行うことが可能である。
（１）例えば、前記図面に示した指入部５ａ，５ｂの形状や大きさを変えたり、動物用美容ハサミ１の横幅（左右方向）の大きさを適宜、変えることなどは当業者であれば容易に想起できる。
（２）本考案に係る動物用美容ハサミ１の全体の概観形状は特に本考案の要旨ではない。また、ハサミ一般に用いられる金属のみならず、各種の金属材料・セラミック材料や各種塗装を用いたハサミであっても本考案の権利範囲に含まれるものである。
【符号の説明】
【００３２】
１…動物用美容ハサミ
２…支軸
３ａ，３ｂ…一対の切り開閉部
６…溝部
１１・１１…刃面
１２…平面
Ｓ…一対の切り開閉部の先端部域
Ｊ…不連続点
Ｌ１…一対の切り開閉部の最先端部から支軸までの距離
Ｌ２…一対の切り開閉部の最先端部から指入部の中心までの距離
Ｍ…一対の切り開閉部の最先端部から支軸までの距離Ｌ１の中間位置
ｄ…中間位置Ｍにおけるハサミ幅方向の長さ
ｅ…中間位置Ｍにおける両端部の平面に対する距離
Ｋ…ハサミ幅方向の曲率（下側の切り開閉部の両端部形状を設定する一例）
θ…最先端部と平面が為す傾斜角度
Ｏ…指入部の中心
Ｒ…距離Ｌ１と距離Ｌ２の比（Ｒ＝Ｌ１／Ｌ２）
【図１】
0003198938.tif 000003
【図２】
0003198938.tif 000004
【図３】
0003198938.tif 000005
【図４】
0003198938.tif 000006
【図５】
0003198938.tif 000007